(57)【要約】【課題】  顔面の一部又は全部を覆う面体と、面体に空気を供給する電動ファンと面体内圧を検知する圧力センサーと圧力センサーの検知信号に基づいて電動ファンの作動を制御する制御装置とを収容するファンユニットと、面体とファンユニットとを接続する給気ホースとを備える呼吸装置であって、面体内圧の変動がファンユニットの圧力センサー収容空間に鋭敏に伝達される呼吸装置を提供する。【解決手段】  顔面の一部又は全部を覆う面体と、面体に空気を供給する電動ファンと面体内圧を検知する圧力センサーと圧力センサーの検知信号に基づいて電動ファンの作動を制御する制御装置とを収容するファンユニットと、面体とファンユニットとを接続する給気ホースとを備える呼吸装置であって、ファンユニットの圧力センサー収容空間から給気ホースのファンユニットとの接続部の近傍部まで延びるパイプを備える。【選択図】  図１
2013192746.tif 000002
【特許請求の範囲】
【請求項１】
顔面の一部又は全部を覆う面体と、面体に空気を供給する電動ファンと面体内圧を検知する圧力センサーと圧力センサーの検知信号に基づいて電動ファンの作動を制御する制御装置とを収容するファンユニットと、面体とファンユニットとを接続する給気ホースとを備える呼吸装置であって、ファンユニットの圧力センサー収容空間から給気ホースのファンユニットとの接続部の近傍部まで延びるパイプを備えることを特徴とする呼吸装置。
【請求項２】
給気ホースは、給気ホース本体と給気ホース本体をファンユニットに接続するコネクタとを備え、前記パイプはコネクタの給気ホース本体との接続部の近傍部まで延びていることを特徴とする請求項１に記載の呼吸装置。
【請求項３】
前記パイプはファンユニットの圧力センサー収容空間囲壁に脱着可能であり、一端がコネクタに当接したバネ部材が前記パイプを圧力センサー収容空間囲壁に押圧することを特徴とする請求項２に記載の呼吸装置。
【発明の詳細な説明】
【技術分野】
【０００１】
本発明は、呼吸装置に関するものである。
【背景技術】
【０００２】
顔面の一部又は全部を覆う面体と、面体に空気を供給する電動ファンと面体内圧を検知する圧力センサーと圧力センサーの検知信号に基づいて電動ファンの作動を制御する制御装置とを収容するファンユニットと、面体とファンユニットとを接続する給気ホースとを備える呼吸装置であって、ファンユニットの圧力センサー収容空間と面体とを接続して面体内圧を圧力センサー収容空間に伝達する給気ホースとは別体の圧力伝達ホースを備える呼吸装置が特許文献１に開示されている。
【先行技術文献】
【特許文献】
【０００３】
【特許文献１】ＷＯ９６／０４０４３
【発明の概要】
【発明が解決しようとする課題】
【０００４】
特許文献１に開示された呼吸装置には、圧力伝達ホースの長さが給気ホースと同様かなり大であるにも関わらず、圧力伝達ホースの内径が給気ホースよりも小径であるために、面体内圧の変動が圧力伝達ホース内の圧力損失によってファンユニットの圧力センサー収容空間に鋭敏に伝達されず、呼吸に鋭敏に応じた電動ファンの作動が実現されないという問題がある。
本発明は、上記問題に鑑みてなされたものであり、顔面の一部又は全部を覆う面体と、面体に空気を供給する電動ファンと面体内圧を検知する圧力センサーと圧力センサーの検知信号に基づいて電動ファンの作動を制御する制御装置とを収容するファンユニットと、面体とファンユニットとを接続する給気ホースとを備える呼吸装置であって、面体内圧の変動がファンユニットの圧力センサー収容空間に鋭敏に伝達される呼吸装置を提供することを目的とする。
【課題を解決するための手段】
【０００５】
上記課題を解決するために、本発明においては、顔面の一部又は全部を覆う面体と、面体に空気を供給する電動ファンと面体内圧を検知する圧力センサーと圧力センサーの検知信号に基づいて電動ファンの作動を制御する制御装置とを収容するファンユニットと、面体とファンユニットとを接続する給気ホースとを備える呼吸装置であって、ファンユニットの圧力センサー収容空間から給気ホースのファンユニットとの接続部の近傍部まで延びるパイプを備えることを特徴とする呼吸装置を提供する。
本発明に係る呼吸装置においては、ファンユニットの圧力センサー収容空間を前記空間から延びるパイプを介して給気ホースのファンユニットとの接続部の近傍部に連通させている。十分な断面積を有する給気ホースのファンユニットとの接続部の近傍部の内圧は面体内圧と略同一であり、また小径でも短いパイプ内では圧力損失は殆ど発生しないので、面体内圧の変動はファンユニットの圧力センサー収容空間に鋭敏に伝達される。
パイプを給気ホースのファンユニットとの接続部の近傍部まで延ばし、パイプの給気ホース側端部を前記接続部から若干遠ざけることにより、ファンユニットから給気ホースに流入した直後の気流の乱れによる局所的な給気ホース内圧変動の影響をカットすることができる。
【０００６】
本発明の好ましい態様においては、給気ホースは、給気ホース本体と給気ホース本体をファンユニットに接続するコネクタとを備え、前記パイプはコネクタの給気ホース本体との接続部の近傍部まで延びている。
給気ホースが給気ホース本体と給気ホース本体をファンユニットに接続するコネクタとを有している場合、パイプをコネクタの給気ホース本体との接続部の近傍部まで延ばせば、ファンユニットから給気ホースに流入した直後の気流の乱れによる局所的な給気ホース内圧変動の影響を十分にカットすることができる。
本発明の好ましい態様においては、前記パイプはファンユニットの圧力センサー収容空間囲壁に脱着可能であり、一端がコネクタに当接したバネ部材が前記パイプを圧力センサー収容空間囲壁に押圧する。
パイプはファンユニットと一体化しても良いが、圧力センサーの保守作業の容易性を勘案すると別体化するのが望ましい。この場合、パイプはファンユニットの圧力センサー収容空間囲壁に脱着可能とし、一端がコネクタに当接したバネ部材を用いてパイプを圧力センサー収容空間囲壁に押圧し密着させて、ファンユニットから吐出した直後の乱れた気流が圧力センサー収容空間に流入しないようにするのが望ましい。
【図面の簡単な説明】
【０００７】
【図１】本発明の実施例に係る呼吸装置が備えるファンユニットとコネクタの構造図である。（ａ）は外観斜視図であり、（ｂ）は一部を断面図で示した外観斜視図であり、（ｃ）は断面図である。
【図２】本発明の実施例に係る呼吸装置が備えるファンユニットとコネクタの構造図であり、コネクタを分解斜視図で示した外観斜視図である。
【発明を実施するための形態】
【０００８】
本発明の実施例に係る呼吸装置を説明する。
図１、２に示すように、呼吸装置Ａは、使用者の頭部に装着される面体１と、使用者の腰部に装着されるファンユニット２と、面体１とファンユニット２とを接続する給気ホース３とを備えている。
面体１は、使用者の鼻と口とを覆うノーズカップ１１と、排気弁１２とを備えている。
ファンユニット２は、電動ファン２１と、ダイアフラム２２とダイアフラム２２の変位を検知する磁気センサや光センサとで構成された圧力センサと、電動ファン２１の作動を制御する図示しない制御装置と、図示しないバッテリーと、電動ファン２１と圧力センサと制御装置とバッテリーとを収容するケーシング２３とを備えている。ケーシング２３内に、電動ファン２１から吐出する空気が流れる空気流路２４と、空気流路とは別個独立の圧力センサ収容空間２５とが形成されている。ファンユニット２内を流れる空気流に関して空気流路２４の下流端に逆止弁２６が取り付けられている。圧力センサ収容空間２５の囲壁に開口２７が形成されている。フィルター２８が、ファンユニット２内を流れる空気流に関して電動ファン２１の上流側に配設され、ケーシング２３に着脱可能に取り付けられている。
【０００９】
給気ホース３は、両端にワンタッチコネクタを有する給気ホース本体３１と、上方から垂下した給気ホース本体３１を逆止弁２６と開口２７とが配設されたファンユニット２背面に接続するコネクタ３２とを有している。コネクタ３２は、複数の部材から構成された筒状部材であり、給気ホース本体３１との接続部３２ａと、ファンユニット２とのワンタッチ接続部３２ｂと、ワンタッチ接続部３２ｂに対向する開口を閉鎖する蓋部材３２ｃとを備えている。
呼吸装置Ａは更に、Ｌ字形状に屈曲したパイプ本体３３ａとパイプ本体３３ａの一端に形成されたフランジ３３ｂとを有するパイプ部材３３と、バネ３４とを備えている。
給気ホース本体３１の一端が面体１に接続され、他端がコネクタ３２の接続部３２ａに接続され、コネクタ３２のワンタッチ接続部３２ｂがファンユニット２に接続されて、呼吸装置Ａが形成されている。
ワンタッチ接続部３２ｂがファンユニット２に接続されると、筒状部材であるコネクタ３２の一端がファンユニット２の逆止弁２６と開口２７とに対峙し、逆止弁２６を介して空気流路２４に連通する。バネ３４の一端が蓋３２ｃに当接し、他端がパイプ部材３３を付勢して、フランジ３３ｂを開口２７周囲の圧力センサ収容空間２５囲壁に押圧する。Ｌ字形状に屈曲したパイプ本体３３ａの一端が開口２７に対峙し開口２７を介して圧力センサ収容空間２５に連通し、他端がコネクタ３２の給気ホース本体３１との接続部３２ａの近傍部まで延びて、当該部のコネクタ３２内部空間に連通する。即ちパイプ本体３３ａの他端は、給気ホース３のファンユニット２との接続部の近傍部まで延びて、当該部の給気ホース３内部空間に連通する。
【００１０】
呼吸装置Ａにおいては、ファンユニット２に収容された電動ファン２１が作動し、フィルター２８を通過して浄化された空気が、空気流路２４と逆止弁２６とを通り、給気ホース３の筒状部材から成るコネクタ３２に流入し、コネクタ３２から給気ホース本体３１に流入し、面体１のノーズカップ１１内部空間に流入して、呼吸装置Ａの使用者の吸気となる。前記使用者の呼気は排気弁１２を通ってノーズカップ１１外に排出される。
前記使用者の呼吸に応じてノーズカップ１１の内圧が変動し、ノーズカップ１１内部空間に連通する給気ホース３の内圧が変動し、パイプ部材３３を介して給気ホース３内部空間に連通する圧力センサー収容空間２５の内圧が変動し、圧力センサー収容空間２５内に配設された圧力センサのダイアフラム２２が変位し、当該変位を磁気センサや光センサが検知し、検知信号を制御装置に送信する。制御装置は、圧力センサー収容空間２５の内圧変動に応じてファン２１の作動を制御する。呼吸装置Ａ使用者の呼吸が吸気の時に電動ファン２１が作動して面体１に給気し、吸装置Ａ使用者の呼吸が呼気の時に電動ファン２１が停止する。この結果、面体１の内圧は常時適正な正圧に保持される。
【００１１】
呼吸装置Ａにおいては、ファンユニット２の圧力センサー収容空間２５を当該空間２５から延びるパイプ部材３３を介して給気ホース３のファンユニット２との接続部の近傍部に連通させている。十分な断面積を有する給気ホース３のファンユニット２との接続部の近傍部の内圧は面体１の内圧と略同一であり、また小径でも短いパイプ部材３３内では圧力損失は殆ど発生しないので、面体１の内圧変動はファンユニット２の圧力センサー収容空間２５に鋭敏に伝達される。
パイプ部材３３を給気ホース３のファンユニット２との接続部の近傍部まで延ばし、パイプ部材３３の給気ホース３側の端部を前記接続部から若干遠ざけることにより、ファンユニット２から給気ホース３に流入した直後の気流の乱れによる局所的な給気ホース３の内圧変動が圧力センサー収容空間２５の内圧に与える影響をカットすることができる。
給気ホース３が給気ホース本体３１と給気ホース本体３１をファンユニット２に接続するコネクタ３２とを有している場合、パイプ部材３３をコネクタ３２の給気ホース本体３１との接続部の近傍部まで延ばせば、ファンユニット２から給気ホース３に流入した直後の気流の乱れによる局所的な給気ホース３の内圧変動がセンサー収容空間２５の内圧に与える影響を十分にカットすることができる。
パイプ部材３３はファンユニット２と一体化しても良いが、圧力センサーの保守作業の容易性を勘案すると別体化するのが望ましい。この場合、パイプ部材３３はファンユニット２の圧力センサー収容空間２５囲壁に脱着可能とし、一端がコネクタに当接したバネ３４を用いてパイプ部材３３を圧力センサー収容空間２５囲壁に押圧し密着させて、ファンユニット３から吐出した直後の乱れた気流が圧力センサー収容空間２５に流入しないようにするのが望ましい。
【００１２】
上記実施例では面体１を使用者の鼻と口とを覆うノーズカップ１１のみを備える半面面マスクとしたが、面体１を使用者の顔面全体を覆う全面マスクとしても良い。
給気ホース３を、両端にワンタッチコネクタを取り付けた給気ホース本体３１のみで構成しても良い。この場合、パイプ部材３３はファンユニット２と一体化し、或いはネジ等を用いて開口２７周囲の圧力センサー収容空間２５囲壁に脱着可能に取り付けることになる。パイプ部材３３を給気ホース本体３１のファンユニット２との接続部の近傍部まで延ばせば、ファンユニット２から給気ホース３に流入した直後の気流の乱れによる局所的な給気ホース３の内圧変動が圧力センサー収容空間２５の内圧に与える影響をカットすることができる。
【産業上の利用可能性】
【００１３】
本発明は、顔面の一部又は全部を覆う面体と、面体に空気を供給する電動ファンと面体内圧を検知する圧力センサーと圧力センサーの検知信号に基づいて電動ファンの作動を制御する制御装置とを収容するファンユニットと、面体とファンユニットとを接続する給気ホースとを備える呼吸装置に広く利用可能である。
【符号の説明】
【００１４】
Ａ  呼吸装置
１  面体
２  ファンユニット
２５  圧力センサー収容空間
２７  開口
３  給気ホース
３１  給気ホース本体
３２  コネクタ
３３  パイプ部材
３４  バネ
【図１】
2013192746.tif 000003
【図２】
2013192746.tif 000004